(57)【要約】【課題】毛髪束にボリューム感があり、ダメージがない毛髪束巻付け方法及びこれを用いるパーマネントウェーブ処理方法を提供する。【解決手段】ロッド１４に毛髪束１０を巻付ける毛髪束巻付け方法において、毛髪束１０を扁平状に解き、これを維持しながら毛先１１からロッド１４に２周以上巻付け可能な位置である上端部１２までをコールドペーパー１３で包含する工程と、上端部１２を水平方向に対して略４５度程度に設けるロッド１４の円筒下端から略１／３程度の位置の上面に当接して保持する工程と、毛髪束１０を円筒下方側に当接させながら巻付け上端部１２上方の横下側を通過させて上端部１２上に延設させ、更に襷がけ状に当接させながら上端部１２上方の横上側を通過させ、円筒上方側に当接させて残り全てを巻き上げる工程と、ロッド１４の両端にコールド用ゴム１５を引っ掛けて毛髪束１０を定置する工程を有する。【選択図】図１
2009285222.tif 000002
【特許請求の範囲】
【請求項１】
頭部の毛髪を１又は複数の毛髪束にして該毛髪束にウェーブを付与するためにロッドに前記毛髪束を巻付ける毛髪束巻付け方法において、
前記毛髪束を把持しながら側面から前記毛髪束の全体が櫛に収まるようにして前記毛髪束を扁平状に解くと共に、該扁平状を維持しながら前記ウェーブを付与する部分となり、前記毛髪束の毛先から前記ロッドの外周囲に２周以上巻付け可能な位置である上端部までをコールドペーパーで包含する工程と、
前記コールドペーパーで包含された前記毛髪束の前記上端部を、前記頭部と前記毛髪束の間に水平方向に対して略４５度程度になるような傾斜を持たせて設ける円筒状の前記ロッドの円筒下端から略１／３程度の位置の上面に当接して保持する工程と、
前記扁平状を維持させた状態で前記毛髪束を前記ロッドの円筒下方側に当接させながら巻付け前記毛髪束の前記上端部上方の横下側を通過させて前記毛髪束の前記上端部上に延設させ、更に、前記毛髪束を襷がけ状に前記ロッドに当接させながら前記毛髪束の前記上端部上方の横上側を通過させ、前記ロッドの円筒上方側に当接させて前記毛髪束の残り全てを重ならないように巻き上げる工程と、
前記ロッドに巻付けた前記毛髪束を前記ロッドの両端にコールド用ゴムを引っ掛けて前記傾斜を持たせた状態のままで前記毛髪束を前記ロッドに定置する工程を有することを特徴とする毛髪束巻付け方法。
【請求項２】
請求項１記載の毛髪束巻付け方法を用いて、前記毛髪束にウェーブを付与するためのパーマネントウェーブ処理方法において、
前記毛髪をシリコン系溶剤を含有しない洗髪液で洗髪した後、前記毛髪束にスポイド容器に収納されたパーマネントウェーブ用第１剤、又は化粧品処方カーリングローション用第１剤を塗布する工程と、
前記毛髪束をロッドに請求項１記載の毛髪束巻付け方法で巻付けた後、前記ロッドに巻付けられた前記毛髪束に前記パーマネントウェーブ用第１剤、又は化粧品処方カーリングローション用第１剤を塗布する工程と、
前記ロッドに巻付けられた前記毛髪束の状態で加温加湿器、又は遠赤外線器で加熱しながら所定時間放置した後、前記ロッドに巻付けられた前記毛髪束の前記パーマネントウェーブ用第１剤、又は化粧品処方カーリングローション用第１剤を洗い流す工程と、
前記ロッドに巻付けられた前記毛髪束にパーマネントウェーブ用第２剤、又は化粧品処方カーリングローション用第２剤を塗布して所定時間放置した後、前記ロッドを前記毛髪束から取り外して前記毛髪を水洗し、ドライヤーでヘアスタイルに応じて乾燥させながら仕上げる工程を有することを特徴とするパーマネントウェーブ処理方法。
【請求項３】
請求項２記載のパーマネントウェーブ処理方法において、前記毛髪束を前記加温加湿器、又は遠赤外線器で加熱しながら所定時間放置した後、前記ウェーブの掛かり具合を確認し、前記ウェーブの掛かり状態が弱い場合には、再度前記ロッドに巻付けられた前記毛髪束に前記パーマネントウェーブ用第１剤、又は化粧品処方カーリングローション用第１剤を塗布して再加熱するテストカールを行う工程を有することを特徴とするパーマネントウェーブ処理方法。
【発明の詳細な説明】
【技術分野】
【０００１】
本発明は、毛髪束にパーマネントウェーブを施すための毛髪束巻付け方法及びこれを用いるパーマネントウェーブ処理方法に関し、より詳細には、毛髪束にウェーブをよりボリューム感を持たせて形成することができる毛髪束巻付け方法及びこれを用いるパーマネントウェーブ処理方法に関する。
【背景技術】
【０００２】
図４を参照しながら、従来の毛髪束巻付け方法を説明する。図４に示すように、従来から美容院等では、頭部の毛髪を１又は複数の毛髪束５０にしてこの毛髪束５０をロッド５１に巻付け、この状態でパーマネント処置して毛髪束５０にウェーブ６０（図６参照）を付与することが行われている。ロッド５１への毛髪束５０の従来の毛髪束巻付け方法は、先ず、毛髪束５０を把持した状態で側面からこの毛髪束５０の全体が櫛に収まるようにして扁平状に解くと共に、この扁平状を維持しながら毛髪束５０の毛先からウェーブ６０を付与する部分の上端部までをコールドペーパー５２で包含している。次いで、コールドペーパー５２で包含された毛髪束５０は、頭部と毛髪束５０の間に水平方向に対して略４５度程度になるような傾斜を持たせて設ける円筒状のロッド５１の円筒下端から略１／３程度の位置の上面に毛髪束５０の毛先を当接させて保持している。次いで、コールドペーパー５２で包含された毛髪束５０は、扁平状を維持させた状態でロッド５２を回動させながら円筒上方側に当接させて重ならないようにしてウェーブ６０を付与する部分の上端部までロッド５２に巻付けている。
【０００３】
そして、ロット５２に巻付けた毛髪束５０は、ロッド５２の両端にコールド用ゴム５３を引っ掛けてロッドに定置している。従って、この毛髪束巻付け方法でロッド５２に巻付けられた毛髪束５０は、毛先側が下方に向かって渦巻き状に巻付けられた状態となっている。
【０００４】
次に、図５を参照しながら、上記の従来の毛髪束巻付け方法を用いるパーマネントウェーブ処理方法を説明する。ここで、図５は従来のパーマネントウェーブ処理方法の工程図である。図５に示すように、従来のパーマネントウェーブ処理方法は、工程（１）として、毛髪を洗髪液で洗髪した後、毛髪束５０にパーマネントウェーブ用第１剤、又は化粧品処方カーリングローション用第１剤を塗布している。次に、工程（２）として、毛髪束５０は、ロッド５１に上記の毛髪束巻付け方法で巻付けた後、ロッド５１に巻付けられた毛髪束５０にパーマネントウェーブ用第１剤、又は化粧品処方カーリングローション用第１剤を塗布している。そして、工程（３）として、毛髪束５０は、ロッド５１に巻付けられた状態で加温加湿器、又は遠赤外線器で加熱しながら所定時間放置した後、ロッド５１に巻付けられた毛髪束５０のパーマネントウェーブ用第１剤、又は化粧品処方カーリングローション用第１剤を洗い流している。次に、工程（４）として、ロッド５１に巻付けられた毛髪束５０には、パーマネントウェーブ用第２剤、又は化粧品処方カーリングローション用第２剤を塗布して所定時間放置した後、ロッド５１を毛髪束５０から取り外して毛髪を水洗し、ドライヤーでヘアスタイルに応じて乾燥させながら仕上げている。そして、図６に示すように、従来のパーマネントウェーブ処理方法で形成された毛髪束５０の形状は、比較的ストレートな感じで、緩やかな曲線を描いて下に垂れ下がったウェーブ６０となっている。なお、図６では、毛髪束５０のウェーブ６０の形状を線図で示している。
【０００５】
また、上記と同様な方法の従来のパーマネント処理方法には、ウェーブの特徴を出し過ぎると毛髪のダメージが大きく時間がかかり、ダメージを少なくするとウェーブの特徴が出にくい等を解消するための方法として、毛髪を洗髪する第１の工程と、パーマネントウェーブ用第１剤を塗布する第２の工程と、毛髪をロッドに巻き込む第３の工程と、一定温度で７〜１５分間加温又は３〜１５分間放置し、テストカールをする第４の工程と、毛髪をロッドに巻いたままの状態で、油分、タンパク質、ゲル又は樹脂の少なくとも一つを含んだ溶液で毛髪に付着したパーマネントウェーブ用第１剤を洗い流す第５の工程と、毛髪に巻かれたロッドに熱を与え、毛髪が乾燥するまで加温する第６の工程と、パーマネントウェーブ用第２剤を毛髪に塗布する第７の工程と、５〜１５分間放置後、毛髪からロッドを外し、毛髪に付着したパーマネントウェーブ用第２剤を洗い流す第８の工程と、からなる方法が提案されている（例えば、特許文献１参照）。
あるいは、従来のパーマネント処理方法には、通電により加熱可能なロッドを用いて、上記と同様な方法でのパーマネントウェーブ処理を行う方法が提案されている（例えば、特許文献２参照）。
【０００６】
【特許文献１】特開２００６−２１２２１４号公報
【特許文献２】特開２００４−２６２７９８号公報
【発明の開示】
【発明が解決しようとする課題】
【０００７】
しかしながら、前述したような従来の毛髪束巻付け方法及びこれを用いるパーマネントウェーブ処理方法は、次のような問題がある。
（１）従来の毛髪束巻付け方法及びこれを用いるパーマネントウェーブ処理方法や、特開２００６−２１２２１４号公報で開示されるような毛髪束巻付け方法及びこれを用いるパーマネント処理方法は、毛髪をロッドの一方の端部から他方の端部に向けて順次巻付けるだけであるので、ウェーブの仕上がりが単純な弱い渦を巻いて下方に垂れ下がった状態となるのみであり、毛髪のボリューム感がなく、ウェーブの特徴が殆ど出ていない状態となっている。
（２）特開２００４−２６２７９８号公報で開示されるようなパーマネントウェーブ処理方法は、通電により加熱可能なロッドを用いることで、毛髪に強力なウェーブを付与することが期待でき、仕上がった毛髪にアクセントを待たせることができるものの、やはり、毛髪は、ロッドの一方の端部から他方の端部に向けて順次巻付けるだけであるので、ウェーブの仕上がりが単純な渦を巻いて下方に垂れ下がったのみで毛髪のボリューム感の特徴が殆ど出ていない状態となっている。また、このパーマネントウェーブ処理方法は、使用するロッドが通電により加熱可能な状態となっているので、このようなロッドに毛髪を巻付けるのが難しい上に、直接ロッドに接する毛髪をロッドから直接加熱することで毛髪を外から加熱する場合に比べて毛髪へのダメージが起こりやすくなっている。
【０００８】
本発明は、かかる事情に鑑みてなされたものであって、毛髪束にボリューム感を持たせることができる毛髪へのダメージがない毛髪束巻付け方法及びこれを用いるパーマネントウェーブ処理方法を提供することを目的とする。
【課題を解決するための手段】
【０００９】
前記目的に沿う本発明に係る毛髪束巻付け方法は、頭部の毛髪を１又は複数の毛髪束にして毛髪束にウェーブを付与するためにロッドに毛髪束を巻付ける毛髪束巻付け方法において、毛髪束を把持しながら側面から毛髪束の全体が櫛に収まるようにして毛髪束を扁平状に解くと共に、扁平状を維持しながらウェーブを付与する部分となり、毛髪束の毛先からロッドの外周囲に２周以上巻付け可能な位置である上端部までをコールドペーパーで包含する工程と、コールドペーパーで包含された毛髪束の上端部を、頭部と毛髪束の間に水平方向に対して略４５度程度になるような傾斜を持たせて設ける円筒状のロッドの円筒下端から略１／３程度の位置の上面に当接して保持する工程と、扁平状を維持させた状態で毛髪束をロッドの円筒下方側に当接させながら巻付け毛髪束の上端部上方の横下側を通過させて毛髪束の上端部上に延設させ、更に、毛髪束を襷がけ状にロッドに当接させながら毛髪束の上端部上方の横上側を通過させ、ロッドの円筒上方側に当接させて毛髪束の残り全てを重ならないように巻き上げる工程と、ロッドに巻付けた毛髪束をロッドの両端にコールド用ゴムを引っ掛けて傾斜を持たせた状態のままで毛髪束をロッドに定置する工程を有する。
【００１０】
ここで、上記の毛髪束巻付け方法を用いるパーマネントウェーブ処理方法は、頭部の毛髪を１又は複数の毛髪束にして毛髪束にウェーブを付与するためのパーマネントウェーブ処理方法において、毛髪をシリコン系溶剤を含有しない洗髪液で洗髪した後、毛髪束にスポイド容器に収納されたパーマネントウェーブ用第１剤、又は化粧品処方カーリングローション用第１剤を塗布する工程と、毛髪束をロッドに上記の毛髪束巻付け方法で巻付けた後、ロッドに巻付けられた毛髪束にパーマネントウェーブ用第１剤、又は化粧品処方カーリングローション用第１剤を塗布する工程と、ロッドに巻付けられた毛髪束の状態で加温加湿器、又は遠赤外線器で加熱しながら所定時間放置した後、ロッドに巻付けられた毛髪束のパーマネントウェーブ用第１剤、又は化粧品処方カーリングローション用第１剤を洗い流す工程と、ロッドに巻付けられた毛髪束にパーマネントウェーブ用第２剤、又は化粧品処方カーリングローション用第２剤を塗布して所定時間放置した後、ロッドを毛髪束から取り外して毛髪を水洗し、ドライヤーでヘアスタイルに応じて乾燥させながら仕上げる工程を有する。
【００１１】
また、上記の毛髪束巻付け方法を用いるパーマネントウェーブ処理方法は、毛髪束を加温加湿器、又は遠赤外線器で加熱しながら所定時間放置した後、ウェーブの掛かり具合を確認し、ウェーブの掛かり状態が弱い場合には、再度ロッドに巻付けられた毛髪束にパーマネントウェーブ用第１剤、又は化粧品処方カーリングローション用第１剤を塗布して再加熱するテストカールを行う工程を有するのがよい。
【発明の効果】
【００１２】
請求項１記載の毛髪束巻付け方法は、毛髪束を把持しながら側面から毛髪束の全体が櫛に収まるようにして毛髪束を扁平状に解くと共に、扁平状を維持しながらウェーブを付与する部分となり、毛髪束の毛先からロッドの外周囲に２周以上巻付け可能な位置である上端部までをコールドペーパーで包含する工程と、コールドペーパーで包含された毛髪束の上端部を、頭部と毛髪束の間に水平方向に対して略４５度程度になるような傾斜を持たせて設ける円筒状のロッドの円筒下端から略１／３程度の位置の上面に当接して保持する工程と、扁平状を維持させた状態で毛髪束をロッドの円筒下方側に当接させながら巻付け毛髪束の上端部上方の横下側を通過させて毛髪束の上端部上に延設させ、更に、毛髪束を襷がけ状にロッドに当接させながら毛髪束の上端部上方の横上側を通過させ、ロッドの円筒上方側に当接させて毛髪束の残り全てを重ならないように巻き上げる工程と、ロッドに巻付けた毛髪束をロッドの両端にコールド用ゴムを引っ掛けて傾斜を持たせた状態のままで毛髪束をロッドに定置する工程を有するので、毛髪へダメージを与えることなく毛髪束にボリューム感を持たせることができる毛髪束巻付け方法を提供することができる。
【００１３】
請求項１記載の毛髪束巻付け方法を用いる請求項２記載のパーマネントウェーブ処理方法又はこれに従属する請求項３記載のパーマネントウェーブ処理方法は、毛髪をシリコン系溶剤を含有しない洗髪液で洗髪した後、毛髪束にスポイド容器に収納されたパーマネントウェーブ用第１剤、又は化粧品処方カーリングローション用第１剤を塗布する工程と、毛髪束をロッドに上記の毛髪束巻付け方法で巻付けた後、ロッドに巻付けられた毛髪束にパーマネントウェーブ用第１剤、又は化粧品処方カーリングローション用第１剤を塗布する工程と、ロッドに巻付けられた毛髪束の状態で加温加湿器、又は遠赤外線器で加熱しながら所定時間放置した後、ロッドに巻付けられた毛髪束のパーマネントウェーブ用第１剤、又は化粧品処方カーリングローション用第１剤を洗い流す工程と、ロッドに巻付けられた毛髪束にパーマネントウェーブ用第２剤、又は化粧品処方カーリングローション用第２剤を塗布して所定時間放置した後、ロッドを毛髪束から取り外して毛髪を水洗し、ドライヤーでヘアスタイルに応じて乾燥させながら仕上げる工程を有するので、毛髪にダメージがなく、ボリューム感のあるウェーブを備えた毛髪スタイルにすることができるパーマネントウェーブ処理方法を提供することができる。
【００１４】
特に、請求項３記載のパーマネントウェーブ処理方法は、毛髪束を加温加湿器、又は遠赤外線器で加熱しながら所定時間放置した後、ウェーブの掛かり具合を確認し、ウェーブの掛かり状態が弱い場合には、再度ロッドに巻付けられた毛髪束にパーマネントウェーブ用第１剤、又は化粧品処方カーリングローション用第１剤を塗布して再加熱するテストカールを行う工程を有するので、意図するボリューム感のあるウェーブを備えた毛髪スタイルにすることができるパーマネントウェーブ処理方法を提供することができる。
【発明を実施するための最良の形態】
【００１５】
続いて、添付した図面を参照しつつ、本発明を具体化した実施の形態について説明し、本発明の理解に供する。
ここに、図１（Ａ）、（Ｂ）はそれぞれ本発明の一実施の形態に係る毛髪束巻付け方法の説明図、図２は同毛髪束巻付け方法を用いるパーマネントウェーブ処理方法の工程図、図３は同毛髪束巻付け方法を用いるパーマネントウェーブ処理方法で形成された毛髪束のウェーブ形状の概念図である。
【００１６】
図１（Ａ）、（Ｂ）を参照しながら、本発明の一実施の形態に係る毛髪束巻付け方法を説明する。ここで、図１（Ａ）は毛髪束をコールドペーパーで包含した正面図と側面図である。また、図１（Ｂ）は毛髪束をロッドに巻付けたときの正面図である。この毛髪束巻付け方法では、頭部の毛髪を１又は複数の毛髪束にして扱っている。そして、毛髪にパーマネントウェーブを付与するために、この毛髪束は、従来から毛髪にパーマネントを施す場合に用いられている耐熱性樹脂等から作製された筒状のロッドに巻付けられるようになっている。図１（Ａ）に示すように、この毛髪束巻付け方法は、先ず、毛髪束１０を把持しながら頭部に対して直角方向である側面から毛髪束１０の全体が櫛に収まるようにして毛髪束１０を扁平状に解いている。そして、毛髪束１０には、この扁平状態を維持したままでウェーブ２０（図３参照）を付与する部分となり、毛髪束１０の毛先１１からロッド１４（図１（Ｂ）参照）の外周囲に２周以上巻付け可能な位置である上端部１２までをコールドペーパー１３で包含している。なお、ロッド１４には、さまざまな形状、直径、長さのものがあるが、毛髪の長さや、所望するウェーブ２０の形状等によって最適なものを選択することができる。また、コールドペーパー１３は、浸透性と、耐熱性を有したペーパーであって、毛髪束１０にパーマネントを施す場合に従来から用いられている。
【００１７】
次に、図１（Ｂ）に示すように、コールドペーパー１３で包含された毛髪束１０は、上端部１２を頭部と毛髪束１０の間に水平方向に対する角度αが略４５度程度になるような傾斜を持たせて設ける円筒状のロッド１４の円筒下端から略１／３程度の位置の上面に当接して保持している。このロッド１４の水平方向に対する角度αは、略４５度程度と、特に傾斜角度を限定するものではないが、好ましくは、３０度〜６０度の範囲の角度αであるのがよい。この角度αが３０度を下回る場合には、毛髪に所望するようなボリューム感のあるウェーブ２０を設けることが難しくなる。また、角度αが６０度を上回る場合には、毛髪束１０をロッド１４に巻き付けるときに、毛髪束１０が窮屈な巻付け状態となる。毛髪束１０をロッド１４に当接させるロッド１４の位置は、特に位置を限定するものではないが、円筒下端から略１／３程度の位置とすることで、毛髪束１０をロッド１４に巻き終えた時、ロッド１４の長さ方向の両端からは略均等な余白が得られると共に、毛先側を上側に向けてロッド１４に固定させることができ、毛髪束１０に所望するようなボリューム感のあるウェーブ２０を設けることができる。
【００１８】
次いで、コールドペーパー１３で包含された毛髪束１０は、扁平状を維持させた状態で毛髪束１０をロッド１４の円筒下方側に当接させながら巻付け毛髪束１０の上端部１２上方の横下側を通過させて毛髪束１０の上端部１２上に延設させている。そして、更に、毛髪束１０は、毛髪束１０を襷がけ状にしてロッド１４に当接させながら毛髪束１０の上端部１２上方の横上側を通過させ、ロッド１４の円筒上方側に当接させて毛髪束１０の残り全てを重ならないように巻き上げている。ロッド１４に巻き上げられた毛髪束１０は、毛髪束１０の上端部で襷がけ状にクロスしてロッド１４に強固に締め付けられるので、ロッド１４の水平方向に対する角度αの略４５度程度が保たれるようになる。また、ロッド１４に巻き上げられた毛髪束１０は、毛髪束１３の毛先側がロッド１４の略４５度程度の上方側に向いた状態で保持されるようになる。
【００１９】
次いで、ロッド１４に巻付けた毛髪束１０は、ロッド１４の両端に設けるフック部にコールド用ゴム１５を引っ掛けて傾斜を持たせた状態のままで毛髪束１０をロッド１４に定置している。このコールド用ゴム１５は、弾力性と、耐熱性に有したロッド１４専用輪ゴムであって、毛髪にパーマネントを施す場合に従来から用いられている。なお、コールド用ゴム１５は、通常、毛髪束１０上で襷がけ状になるようにロッド１４のホックに引っ掛けるようにしている。また、コールド用ゴム１５は、通常、上端部１２部分を通過するように設けると共に、この裏面側になる部分にも設けることで、強固に毛髪束１０をロッド１４に固定させることができる。
【００２０】
次に、図２の工程図を参照しながら、上記の毛髪束巻付け方法を用いるパーマネントウェーブ処理方法を説明する。このパーマネントウェーブ処理方法は、頭部の毛髪を１又は複数の毛髪束１０にして毛髪束１０にウェーブ２０を付与するための処理方法である。
図２に示すように、工程（１）としては、先ず、毛髪をシリコン系溶剤を含有しない洗髪液で洗髪している。この洗髪においては、指先での頭皮の摩擦を弱くして頭皮に傷を付けないことの注意が必要である。もし頭皮に傷をできた場合には、後述するパーマネントウェーブ用第１剤、又は化粧品処方カーリングローション用第１剤を塗布した時に、頭皮に刺激が発生することとなる。また、洗髪液にシリコン系溶剤を含有しないものを用いるのは、シリコンが毛髪表面に付着してウェーブ２０形成にムラがでたり、パーマネントウェーブ用第１剤、又は化粧品処方カーリングローション用第１剤を塗布して均等に染み渡るまでに長時間を必要となるからである。
【００２１】
次いで、洗髪後は、毛髪束１０にスポイド容器に収納されたパーマネントウェーブ用第１剤、又は化粧品処方カーリングローション用第１剤を毛髪に万遍なくムラのないように均等に塗布している。ここで用いられるパーマネントウェーブ用第１剤や、化粧品処方カーリングローション用第１剤の内の、例えば、パーマネントウェーブ用第１剤には、チオグリコール酸、チオグリコール酸アンモニウム、チオ乳酸等のチオグリコール酸塩類や、システイン、システイン塩酸塩等のシステイン酸塩類や、システアミン、Ｎ−アセチルシステイン等のシステイン誘導体や、チオグリセリルアルキルエーテル、メルカプトアルキルアミド、亜硫酸塩、亜硫酸水素塩等の還元剤が含まれている。また、パーマネントウェーブ用第１剤には、化粧品処方カーリングローション用第１剤を含有するものもある。なお、パーマネントウェーブ用第１剤や、化粧品処方カーリングローション用第１剤は、スポイド容器に収納されているが、内容液は液状、ジェル状、あるいはクリーム状等特に限定されものではなく、毛髪に均等に塗布可能なものであればよい。
【００２２】
次に、工程（２）としては、毛髪束１０をロッド１４に前記の本発明の一実施の形態に係る毛髪束巻付け方法で巻付けている。次いで、ロッド１４に巻付けられた毛髪束１０には、再度パーマネントウェーブ用第１剤、又は化粧品処方カーリングローション用第１剤を塗布している。
【００２３】
次に、工程（３）としては、毛髪束１０をロッド１４に巻付けた状態で加温加湿器、又は遠赤外線器で加熱しながら所定時間、例えば、５〜２０分間放置している。次いで、所定時間放置後、毛髪束１０は、ロッド１４に巻付けられた状態のままで、毛髪束１０に付着しているパーマネントウェーブ用第１剤、又は化粧品処方カーリングローション用第１剤を水で洗い流している。
【００２４】
次に、工程（４）としては、ロッド１４に巻付けられた状態の毛髪束１０に、パーマネントウェーブ用第２剤、又は化粧品処方カーリングローション用第２剤を塗布して所定時間、例えば、５分間放置し、再度パーマネントウェーブ用第２剤、又は化粧品処方カーリングローション用第２剤を塗布して１０分間放置している。なお、パーマネントウェーブ用第２剤や、化粧品処方カーリングローション用第２剤には、酸化剤が含有されていることが必要となっているが、この酸化剤としては、例えば、臭素酸カリウム、臭素酸ナトリウム、過ホウ酸ナトリウム、あるいは過酸化水素等を用いることができる。次いで、所定時間放置後は、毛髪束１０からロッド１４を取り外し、更にコールドペーパー１３も取り外している。そして、毛髪束１０から開放された毛髪は、丁寧に水洗し、ドライヤーでヘアスタイルに応じて乾燥させながら仕上げている。
【００２５】
そして、図３に示すように、上記の本発明のパーマネントウェーブ処理方法で形成された毛髪束１０のウェーブ２０の形状は、短時間でウェーブ２０が形成されているが、ウェーブ２０がよく効いて毛髪束１０にボリューム感がある。また、毛髪には、ダメージがなく、艶を有している。なお、図３では、毛髪束１０のウェーブ２０の形状を線図で示している。
【００２６】
上記のパーマネントウェーブ処理方法においては、ロッド１４に巻付けられた状態の毛髪束１０を加温加湿器、又は遠赤外線器で加熱しながら所定時間放置した後、ウェーブ２０の掛かり具合を確認し、ウェーブ２０の掛かり状態が弱い場合には、再度ロッド１４に巻付けられた毛髪束１０にパーマネントウェーブ用第１剤、又は化粧品処方カーリングローション用第１剤を塗布して再加熱するテストカールを行う工程を有するのがよい。これにより、毛髪束１０には、意図するボリューム感のあるウェーブを備えたスタイルに確実性をもって処理することができる。
【産業上の利用可能性】
【００２７】
本発明の毛髪束巻付け方法及びパーマネントウェーブ処理方法は、ボリューム感のあるウェーブを有するスタイルの髪型を毛髪に損傷を与えることなく、強力且つ迅速に作り上げることができるパーマネントのために用いる用いることができる。
【図面の簡単な説明】
【００２８】
【図１】（Ａ）、（Ｂ）はそれぞれ本発明の一実施の形態に係る毛髪束巻付け方法の説明図である。
【図２】同毛髪束巻付け方法を用いるパーマネントウェーブ処理方法の工程図である。
【図３】同毛髪束巻付け方法を用いるパーマネントウェーブ処理方法で形成された毛髪束のウェーブ形状の概念図である。
【図４】従来の毛髪束巻付け方法の説明図である。
【図５】同毛髪束巻付け方法を用いるパーマネントウェーブ処理方法の工程図である。
【図６】同毛髪束巻付け方法を用いるパーマネントウェーブ処理方法で形成された毛髪束のウェーブ形状の概念図である。
【符号の説明】
【００２９】
１０：毛髪束、１１：毛先、１２：上端部、１３：コールドペーパー、１４：ロッド、１５：コールド用ゴム、２０：ウェーブ
【図１】
2009285222.tif 000003
【図２】
2009285222.tif 000004
【図３】
2009285222.tif 000005
【図４】
2009285222.tif 000006
【図５】
2009285222.tif 000007
【図６】
2009285222.tif 000008